(57)【特許請求の範囲】
【請求項１】
前パネルと後パネルと中央パネルとを含み、前記パネルのそれぞれが互いに直交する幅方向と上下方向とを有し、前記前パネルと前記後パネルとは前記幅方向の両側で互いに接合することにより周方向がつながった状態の胴回り域を形成し、前記中央パネルは前記上下方向においてＵ字形を画くように曲げられていて前記上下方向の上方に位置する両端部のうちの一方の少なくとも一部分が前記胴回り域の外側から前記前パネルに接合し、前記両端部のうちのもう一方の少なくとも一部分が前記外側から前記後パネルに接合している使い捨てのパンツ型着用物品であって、
前記前パネルと前記後パネルと前記中央パネルとは、前記着用物品の着用者の肌と向かい合う内面と、その反対面である外面とを有し、
前記中央パネルは、内面シートと、外面シートと、前記内面シート及び前記外面シートの間に介在する吸液性の芯材とを含み、前記幅方向において、中央域と、前記内面シートを内側にし、折曲線において折曲された側縁部とを有し、
前記中央パネルの前記側縁部は、前記幅方向の両側それぞれにおいて前記両端部間に延び、前記折曲線で折曲されることにより前記中央域の前記内面シートに重ねられ、
前記中央パネルは、前記中央域の前記内面シートと前記側縁部の前記内面シートとが、前記両端部において第１ホットメルト接着剤を介して接合され、
前記中央パネルにおける前記内面シートと前記外面シートとは、第２ホットメルト接着剤を介して接合され、
前記中央パネルの前記側縁部において、前記内面シートと前記外面シートとの間には伸長状態で前記上下方向へ延びている複数条の弾性部材が介在し、
前記中央パネルは、折曲されている前記側縁部それぞれの外面と、前記幅方向において前記側縁部どうしの間に位置する前記中央域の内面とにおいて、第３ホットメルト接着剤を介して前記前パネルと前記後パネルとに接合し、
前記中央パネルの前記側縁部における前記第２ホットメルト接着剤の前記内面シート及び前記外面シートに対する塗布域には、１ｍ２当たりの塗布量が多い高密度塗布域と、１ｍ２当りの塗布量が少ない低密度塗布域とが含まれ、前記高密度塗布域が前記両端部のうちの前記少なくとも一部分に含まれていることを特徴とする前記着用物品。
【請求項２】
前記第２ホットメルト接着剤の前記低密度塗布域は、前記側縁部の前記上下方向のうちで、前記弾性部材が介在している範囲に含まれている請求項１記載の着用物品。
【請求項３】
前記第２ホットメルト接着剤の前記高密度塗布域は、前記側縁部において、前記幅方向の中央部分にのみ形成されている請求項１又は２記載の着用物品。
【請求項４】
前記前パネルと前記後パネルとは、前記上下方向上方の上縁と下方の下縁とを有し、前記第１ホットメルト接着剤を介して前記側縁部の内面と前記中央域の内面とが接合している範囲は、前記前パネルと前記後パネルとのうちの少なくとも一方において、前記下縁を越えて前記下方向へ延びている請求項１〜３のいずれかに記載の着用物品。
【発明の詳細な説明】
【技術分野】
【０００１】
この発明は、使い捨てのパンツ型着用物品に関する。
【背景技術】
【０００２】
前胴回りを被覆する前パネルと、後胴回りを被覆する後パネルと、股部を被覆する中央パネルとを有する使い捨てのパンツ型着用物品は公知である。
【０００３】
たとえば、特許第４２４０４６３号公報（特許文献１）に記載のパンツ型おむつは、前後胴回りを被覆する環状の帯部材と、股部を被覆する吸収性本体とを含んでいる。吸収性本体は、バックシートの外面に不織布シートが接合され、その不織布シートの幅方向両側が内向きに折り返されてフラップを形成している。フラップは、外面がその外面と対向する帯部材に接合されている。
【０００４】
特表２００６−５２５８５７号公報（特許文献２）に記載の使い捨てプルオン衣類は、着用者の前胴回りと後胴回りとを被覆する環様弾性ベルトと、股部を被覆する吸収性本体とを有する。吸収性本体は、長手方向側縁部にバリアレッグカフが形成されている。吸収性本体は、長手方向の両端部が弾性ベルトの内面に取り付けられている。
【０００５】
特開２００６−５１２４０号公報（特許文献３）に記載の簡易おむつは、着用者の胴回りに密着する環状の胴回り部材と、着用者の股部を覆う股間部材とを有する。胴回り部材の外面には、股間部材の両端部それぞれを着脱させる係止部が形成されている。
【先行技術文献】
【特許文献】
【０００６】
【特許文献１】特許第４２４０４６３号公報
【特許文献２】特表２００６−５２５８５７号公報
【特許文献３】特開２００６−５１２４０号公報
【発明の概要】
【発明が解決しようとする課題】
【０００７】
パンツ型着用物品は、それを着用しようとするときに、着用物品の股下域を形成している中央パネル等に対して着用者のつま先が引っ掛かるということがある。このような場合に、中央パネルの長さ方向における両端部が胴回りを被覆する前パネルと後パネルとの内面に取り付けられていたり、両端部それぞれが前パネルとその外側に位置する外側シートとの間および後パネルとその外側に位置する外側シートの間に挿入されていたりすると、両端部は前パネルや後パネルの外側に向かっての動きを抑えられるので、前パネルや後パネルからの剥離を防ぐことが容易になる。しかし、中央パネルの両端部が前パネルや後パネルの外面に取り付けられている従来の着用物品では、着用物品を着用するときに中央パネルにつま先が引っ掛かると、その両端部が前パネルや後パネルから剥離し易いという場合がある。
【０００８】
そこで、この発明は、中央パネルの両端部が前パネルと後パネルの外面に取り付けられているパンツ型着用物品であっても、その着用物品を着用するときに中央パネルの両端部が前パネルや後パネルから簡単に剥離することがないように使い捨てのパンツ型着用物品に改良を施すことを課題にしている。
【課題を解決するための手段】
【０００９】
前記課題を解決するために、この発明が対象とするのは、前パネルと後パネルと中央パネルとを含み、前記パネルのそれぞれが互いに直交する幅方向と上下方向とを有し、前記前パネルと前記後パネルとは前記幅方向の両側で互いに接合することにより周方向がつながった状態の胴回り域を形成し、前記中央パネルは前記上下方向においてＵ字形を画くように曲げられていて前記上下方向の上方に位置する両端部のうちの一方の少なくとも一部分が前記胴回り域の外側から前記前パネルに接合し、前記両端部のうちのもう一方の少なくとも一部分が前記外側から前記後パネルに接合している使い捨てのパンツ型着用物品である。
【００１０】
かかる着用物品において、この発明が特徴とするところは、以下のとおりである。すなわち、前記前パネルと前記後パネルと前記中央パネルとは、前記着用物品の着用者の肌と向かい合う内面と、その反対面である外面とを有する。前記中央パネルは、内面シートと、外面シートと、前記内面シート及び前記外面シートの間に介在する吸液性の芯材とを含み、前記幅方向において、中央域と、前記内面シートを内側にし、折曲線において折曲された側縁部とを有する。前記中央パネルの前記側縁部は、前記幅方向の両側それぞれにおいて前記両端部間に延び、前記折曲線で折曲されることにより前記中央域の前記内面シートに重ねられる。前記中央パネルは、前記中央域の前記内面シートと前記側縁部の前記内面シートとが、前記両端部において第１ホットメルト接着剤を介して接合される。前記中央パネルにおける前記内面シートと前記外面シートとは、第２ホットメルト接着剤を介して接合される。前記中央パネルの前記側縁部において、前記内面シートと前記外面シートとの間には伸長状態で前記上下方向へ延びている複数条の弾性部材が介在する。前記中央パネルは、折曲されている前記側縁部それぞれの外面と、前記幅方向において前記側縁部どうしの間に位置する前記中央域の内面とにおいて、第３ホットメルト接着剤を介して前記前パネルと前記後パネルとに接合する。前記中央パネルの前記側縁部における前記第２ホットメルト接着剤の前記内面シート及び前記外面シートに対する塗布域には、１ｍ２当たりの塗布量が多い高密度塗布域と、１ｍ２当りの塗布量が少ない低密度塗布域とが含まれ、前記高密度塗布域が前記両端部のうちの前記少なくとも一部分に含まれている。
【００１１】
この発明の実施態様の一つにおいて、前記第２ホットメルト接着剤の前記低密度塗布域は、前記側縁部の前記上下方向のうちで、前記弾性部材が介在している範囲に含まれている。
【００１２】
この発明の実施態様の他の一つにおいて、前記第２ホットメルト接着剤の前記高密度塗布域は、前記側縁部において、前記幅方向の中央部分にのみ形成されている。
【００１３】
この発明の実施態様の他の一つにおいて、前記前パネルと前記後パネルとは、前記上下方向上方の上縁と下方の下縁とを有し、前記第１ホットメルト接着剤を介して前記側縁部の内面と前記中央域の内面とが接合している範囲は、前記前パネルと前記後パネルとのうちの少なくとも一方において、前記下縁を越えて前記下方向へ延びている。
【発明の効果】
【００１４】
この発明に係る使い捨てのパンツ型着用物品は、前パネルと後パネルとの外面に接合している中央パネルの側縁部が少なくとも二枚のシート状部材を重ね合せ第２ホットメルト接着剤を介して互いに接合することにより形成されている。二枚のシート状部材に対する第２ホットメルト接着剤の塗布域には、高密度塗布域と低密度塗布域とが含まれている。前パネルと後パネルとに接合している中央パネルの両端部それぞれの少なくとも一部分には、高密度塗布域が含まれている。その両端部では、高密度塗布域で接合されている二枚のシート状部材の剥離防止効果を高めることができる。
【図面の簡単な説明】
【００１５】
【図１】使い捨てのパンツ型着用物品（おむつ）の部分破断斜視図。
【図２】展開おむつの部分破断平面図。
【図３】図２のＩＩＩ−ＩＩＩ線切断面を示す図。
【図４】図２のＩＶ−ＩＶ線切断面を示す図。
【図５】図２のＶ−Ｖ線切断面を示す図。
【図６】実施態様の一例を示す図２と同様な図。
【図７】図６のＶＩＩ−ＶＩＩ線切断面を示す図。
【図８】実施態様の一例を示す図５と同様な図。
【発明を実施するための形態】
【００１６】
添付の図面を参照して、使い捨てのパンツ型着用物品の一例であるパンツ型おむつによってこの発明の実施形態を説明すると、以下のとおりである。
【００１７】
図１は、使い捨てのパンツ型着用物品の一例である使い捨てのパンツ型おむつ１が着用状態にあるときの部分破断斜視図であるが、着用者の図示は便宜上省略されている。おむつ１は、前パネル７と、後パネル８と、中央パネル６を含んでいる。おむつ１はまた、幅方向Ｘと前後方向Ｙと上下方向Ｚとを有していて、前後方向Ｙの前方に位置する前パネル７と後方に位置する後パネル８との側縁部７ａ，８ａが幅方向Ｘの両側それぞれで合掌状に重なり合い、接合部９において互いに接合することにより環状の胴回り域１１と胴回り開口１２とを形成している。中央パネル６は、前後端部４２，４３（図２参照）のそれぞれが上方に位置してＵ字形を画くように曲げられている。前端部４２は、胴回り域１１の外側から前パネル７に第３ホットメルト接着剤６３を介して接合し、後端部４３は、胴回り域１１の外側から後パネル８に第３ホットメルト接着剤６３を介して接合している（図２を併せて参照）。このように接合している前後パネル７，８と中央パネル６とは一対の脚回り開口１３を形成している。中央パネル６には、脚回り開口１３を半周するように延びる脚回り弾性部材３９が含まれている。
【００１８】
図１において、前パネル７は、おむつ着用者（図示せず）の肌と向かい合う内面シート１６と、着衣と向かい合う外面シート１７と、これら内外面シート１６，１７にサンドウィッチされている前方胴回り弾性部材１８とを含んでいる。内外面シート１６，１７は、第４ホットメルト接着剤６４（図２参照）を介して互いに接合し、前方胴回り弾性部材１８は内外面シート１６，１７の少なくとも一方にホットメルト接着剤（図示せず）を介して伸長状態で接合している。図１における前方胴回り弾性部材１８は、胴回り域１１の周方向において収縮した状態にあって、外面シート１７には周方向において山部と谷部とが反復した状態にあるひだ７０が形成されている。
【００１９】
図２は、前パネル７と後パネル８とを接合部９において剥離して前後パネル７，８と中央パネル６とを幅方向Ｘと前後方向Ｙとに伸展して得られる展開おむつ１ａの部分破断平面図である。前後パネル７，８と中央パネル６とは、図１において上下方向Ｚへ向いていた向きが図２では前後方向Ｙへ向くように、その向きが変化している。図２において、これら前パネル７、後パネル８、中央パネル６の形状は幅方向Ｘの寸法を二等分する中心線Ｐに関して対称である。
【００２０】
図２の前パネル７における前方胴回り弾性部材１８は、図１において胴回り開口１２の縁１２ａに沿って胴回り方向へ延びる互いに接近した複数条の上方弾性部材１８ａと、図１において上下方向Ｚへ互いに大きく離間して胴回り方向へ延びる複数条の下方弾性部材１８ｂとを含んでいる。図２において、前方胴回り弾性部材１８は幅方向Ｘに伸長された状態にあり、前パネル７の通気性内面シート１６と通気性外面シート１７とは平坦な状態にあるが、その前方胴回り弾性部材１８が収縮すると図１の内外面シート１６，１７にはひだ７０が形成される。
【００２１】
図２の後パネル８は、着用者の肌と向かい合う内面シート２１と、着衣と向かい合う通気性外面シート２２と、これら内外面シート２１，２２にサンドウィッチされている後方胴回り弾性部材２３とを含んでいる。後方胴回り弾性部材２３は、図１において胴回り開口１２の縁に沿って胴回り方向へ延びる互いに接近した複数条の上方弾性部材２３ａと、図１において上方弾性部材２３ａよりも下方にあって上下方向Ｚへ互いに大きく離間して胴回り方向へ延びる複数条の下方弾性部材２３ｂとを含んでいる。内外面シート２１，２２は第４ホットメルト接着剤６４を介して互いに接合しており、後方胴回り弾性部材２３は内外面シート２１，２２のうちの少なくとも一方にホットメルト接着剤（図示せず）を介して幅方向Ｘへ伸長された状態で接合している。図２において内面シート２１と外面シート２２とは平坦な状態にあるが、前パネル７の場合と同様に、後方胴回り弾性部材２３が収縮すると図１の内外面シー２１，２２にひだ７０が形成される。
【００２２】
中央パネル６は、透液性の内面シート３１と不透液性の外面シート３２と、これら両シート３１，３２の間に介在する吸液性の芯材３３とを含んでいる。内面シート３１と外面シート３２とは、第２ホットメルト接着剤６２を介して接合してある。より、具体的には、内面シート３１と外面シート３２とは、芯材３３の周縁から延出し、第２ホットメルト接着剤６２を介して互いに接合して幅方向延出部４１と前後方向延出部４２とを形成している。幅方向延出部４１には中央パネル６の側縁部３４が含まれ、その側縁部３４は、その内面を形成している内面シート３１を内側にし、中心線Ｐに並行する折曲線３８において折曲されている。側縁部３４は、幅方向Ｘの両側それぞれにおいて両端部３６，３７間に延びている。中央パネル６の幅方向Ｘにおいて、側縁部３４と側縁部３４との間に位置する部分は中央パネル６の中央域３５であって、中央域３５の内面を形成している内面シート３１と側縁部３４の内面シート３１とは、側縁部３４のうちの前端部３６と後端部３７とにおいて、第１ホットメルト接着剤６１を介して接合している。側縁部３４のうちの前端部３６は、前パネル７と中央域３５とが側縁部３４を介して重なり合う部分であり、後端部３７は、後パネル８と中央域３５とが側縁部３４を介して重なり合う部分である。
【００２３】
中央パネル６では、側縁部３４を形成している内面シート３１と外面シート３２との少なくとも二枚のシート部材の間に複数条の脚回り弾性部材３９が介在している。弾性部材３９には、側縁部３４の縁３４ａに沿って直状に延びる複数条の第１弾性部材３９ａと、折曲線３８の近傍にあって縁３４ａに向かって凸曲線を画く複数条の第２弾性部材３９ｂとが含まれている。第１，第２弾性部材３９ａ，３９ｂは、前後方向Ｙへ伸長された状態でホットメルト接着剤（図示せず）を介して内面シート３１および／または外面シート３２に接合していて、好ましくは側縁部３４の前後端部３６，３７には届くことがない程度に前後方向Ｙへ延びている。展開おむつ１ａが図１のおむつ１に組み立てられて着用されるときには、中央パネル６の中央域３５が垂れ下がる一方、弾性部材３９が収縮して、側縁部３４のうちの前端部３６と後端部３７との間の部位を中央域３５から離間させ、着用者の肌に接近させるように作用する。弾性部材３９のうちの第２弾性部材３９ｂは、それを縁３４ａに向かって凸曲線を画くように側縁部３４の内面シート３１または外面シート３２に取り付けるときに、長さ方向の中央に位置する凸部４０ａと、長さ方向の両端に位置する直状部４０ｂとの間において伸長率を徐々に変化させることが可能であって、凸部４０ａの伸長率を特に高くしてある側縁部３４では、着用者の肌に対する側縁部３４の接触圧をその凸部４０ａの近傍において特に高くすることができる。
【００２４】
このような側縁部３４において、内面シート３１と外面シート３２とを接合するための第２ホットメルト接着剤６２は、低密度塗布域７１と高密度塗布域７２とを形成するように塗り分けられている。低密度塗布域７１においては、側縁部３４においての１ｍ２当たりの第２ホットメルト接着剤６２の塗布量を高密度塗布域７２における塗布量よりも小さくする。図２についていえば、低密度塗布域７１は、側縁部３４の前後方向Ｙにおいて、好ましくは前パネル７と後パネル８との間に形成されて、おむつ１の着用中に肌と接触する可能性の高い部分が第２ホットメルト接着剤６２の存在によって柔軟性が乏しくなることを防ぐとともに、そのような部分において弾性部材３９が伸長・収縮し難くなることを防いでいる。高密度塗布域７２は、側縁部３４のうちの前端部３６および後端部３７それぞれの少なくとも一部分に形成されて、おむつ１を着用するときに、内面シート３１と外面シート３２とが剥離することを防いでいる。高密度塗布域７２は、前端部３６および後端部３７それぞれの面積の全体を占有するように形成されていてもよいのであるが、図示例では幅方向Ｘの中央部分にのみ形成されている。図示例ではまた、弾性部材３９ａ，３９ｂそれぞれの延長上にあたる部分に低密度塗布域７１が形成されているのであるが、弾性部材３９ａ、３９ｂそれぞれの延長上にあたる部分に高密度塗布域７２が形成されていると、弾性部材３９ａ，３９ｂがその塗布域７２にまで延びているときに、これら弾性部材３９ａ、３９ｂを側縁部３４のうちの前端部３６と後端部３７との間の部分に確実に保持しておくことができる。高密度塗布域７２はまた、中央パネル６の側縁部３４と中央域３５とを強固に接合することに役立つ一方、これらを柔軟性に乏しい部位にすることがあるが、この発明に係るおむつ１においてはそのような部位が生じたとしても、その部位は前パネル７や後パネル８の外側にあって、着用者の肌に接触することがない。
【００２５】
図３は、図２のＩＩＩ−ＩＩＩ線切断面を示す図である。図３に示された側縁部３４の前端部３６では、側縁部３４と中央域３５との間には第１ホットメルト接着剤６１の塗布域が形成され、側縁部３４には後端部３７におけると同様に第２ホットメルト接着剤６２の高密度塗布域７２が形成され、その高密度塗布域７２の両側に低密度塗布域７１が形成されている。ちなみに、図示の中央パネル６は、中央パネル６における幅方向延出部４１と前後方向延出部４２とを含む部分である。
【００２６】
図３においてはまた、側縁部３４の内面と中央パネル６の中央域３５における内面とが第１ホットメルト接着剤６１を介して接合している。中央域３５では、内面シート３１と外面シート３２とが第２ホットメルト接着剤６２を介して接合し、ここでは、第２ホットメルト接着剤６２が低密度塗布域７１を形成している。中央パネル６は、第３ホットメルト接着剤６３を介して前パネル７に接合している。より具体的には、中央パネル６は、折曲されている側縁部３４それぞれの外面と、幅方向Ｘにおいて側縁部３４どうしの間に位置する中央域３５の内面とにおいて、第３ホットメルト接着剤６３を介して前パネル７と後パネル８とに接合してある。前パネル７では、通気性の内面シート１６と通気性の外面シート１７とが第４ホットメルト接着剤６４を介して接合している。
【００２７】
図４は、図２のＩＶ−ＩＶ線切断面を示す図であって、ＩＶ−ＩＶ線は前パネル７の下縁７ｄ（図１参照）の近傍にある。図４に示された側縁部３４の前端部３６では、中央パネル６と前パネル７とが接合しておらず、図１のおむつ１では、中央パネル６と前パネル７とが互いに離間可能な状態にある。中央パネル６と前パネル７とについてのその他の構造は、図３と同様な構造である。
【００２８】
図５は、図３のＶ−Ｖ線切断面を示している。図示の中央パネル６は、体液吸収性の芯材３３と、幅方向延出部４１とを含んでいる。幅方向延出部４１の一部分は折曲線３８で折曲されていて、弾性部材３９を含む側縁部３４を形成している。その側縁部３４では、第２ホットメルト接着剤６２が低密度塗布域７１を形成している。中央パネル６の中央域３５には、体液吸収性の芯材３３と、幅方向延出部４１の一部分とが含まれている。展開おむつ１ａが組み立てられて図１のおむつ１になると、中央域３５が仮想線の如く垂れ下がる一方、弾性部材３９が収縮することに伴い、側縁部３４が仮想線の如き状態になる。
【００２９】
このように形成されているおむつ１およびおむつ１ａにおいて、第１〜第４ホットメルト接着剤６１〜６４には、スチレン系、スチレン・ブタジエン系、スチレン・ブタジエン・スチレン系、アクリル系等の当該分野において慣用のものを使用することができる。これら第１〜第４ホットメルト接着剤６１〜６４の塗布には、スパイラルスプレーコータやバーコータ等の慣用の塗布機を使用することができ、ドット状やスパイラル状、ビード状等の塗布パターンを採用することができる。これらホットメルト接着剤の塗布量は、接合すべき面積１ｍ２当たりについて５〜３０ｇであることが好ましい。ただし、第２ホットメルト接着剤６２については、低密度塗布域７１においての１ｍ２当たりの塗布量が０．３〜３ｇの範囲にあり、高密度塗布域７２においての１ｍ２当たりの塗布量が５〜３０ｇの範囲にあるように塗布量を調整することが好ましい。
【００３０】
図１のおむつ１は、それを着用するときに、着用者のつま先が側縁部３４に引っ掛かるとか、つま先で中央パネル６の中央域３５をおむつ１の外側に向かって押すとかということがある。両手で前パネル７や後パネル８を持っているときにそうしたことが生じると、中央パネル６は、例えば前パネル７に対して図１に矢印Ｒで示されている方向へ動いて前パネル７から剥離するような作用を受けるとか、中央域３５が側縁部３４から剥離するような作用を受けるとか、側縁部３４において内面シート３１と外面シート３２とが剥離するような作用を受けるとかということがある。これらの作用によるシートどうしの剥離を防ぐには、おむつ１において、第１〜第４ホットメルト接着剤６１〜６４の塗布量と塗布範囲とを大きくするような対策を講じればよいのであるが、側縁部３４の内面シート３１と外面シート３２とに単純にそのような対策を適用すると、側縁部３４を柔軟性の乏しいものにしかねないという問題がある。しかし、図１のおむつ１を例とするこの発明の着用物品では、側縁部３４に使用する第２ホットメルト接着剤６２を低密度塗布域７１と高密度塗布域７２との間において塗り分けるので、そのような問題の発生を防ぐことができる。
【００３１】
図６，７は、この発明の実施態様の一例を示す図２と同様な図と、図６のＶＩＩ−ＶＩＩ線切断面を示す図であって、図７は図５と同様な図でもある。ただし、図６の展開おむつ１ａは、図２の展開おむつ１ａと異なり、中央パネル６において側縁部３４と中央域３５とを接合するための第１ホットメルト接着剤６１の塗布域が側縁部３４のうちの前端部３６のみならず、後パネル８に向かって前パネル７の下縁７ｄを越えるように広がっている。図示してはいないが、側縁部３４の後端部３７における第１ホットメルト接着剤６１の塗布状態は、前端部３６における図６の状態と同様であって、第１ホットメルト接着剤６１の塗布域は後端部３７のみならず、前パネル７に向かって後パネル８の下縁８ｄ（図１，２参照）を越えるように広がっている。おむつ１がこのような態様にあると、おむつ１が着用されるときや着用しているときの側縁部３４と中央域３５との剥離を防ぐ効果が向上する。なお、図７の側縁部３４における外面シート３２の態様は、外面シート３２が側縁部３４の縁３４ａで折曲されて、内面シート３１に重なるとともに第２ホットメルト接着剤６２を介して接合していることにおいて、図５における外面シート３２の態様と異なっている。
【００３２】
図８もまた、この発明の実施態様の一例を示す図５と同様な図である。図８の構造を有する展開おむつ１ａは、中央パネル６の内面シート３１と外面シート３２との間に図２，５に例示の芯材３３を含んでおらず、その芯材３３に代わる芯材３３よりも幅の広い体液吸収性のパッド７５がその一部分を側縁部３４と中央域３５との間に挿入された状態で中央パネル６の内面にセットされている。パッド７５は、体液吸収性の芯材７６を液透過性の内面シート７７と液不透過性の外面シート７８とでサンドウィッチすることにより形成されている。パッド７５は、中央パネル６に対して自由にセットしたり外したりすることができるもので、中央パネル６に対してのセット状態を安定化させるために、中央パネル６と対向する部位に粘着剤を塗布したり、メカニカルファスナを取り付けたりすることができる。このような展開おむつ１ａから得るおむつ１は、パッド７５が交換可能であるおむつ、またはパッド７５を使用するためのおむつカバーと呼ぶことができるものでもある。
【００３３】
図示例のおむつ１およびおむつ１ａにおいて、前パネル７の内面シート１６や外面シート１７，後パネル８の内面シート２１や外面シート２２には、熱可塑性合成繊維で形成された不織布やプラスチックフィルム、これら不織布とプラスチックフィルムとの積層シート等を使用することができる。中央パネルにおける内面シート３１には、熱可塑性合成繊維で形成された透液性の不織布や開孔プラスチックフィルム等を使用することができる。外面シート３２には不透液性のプラスチックフィルムを使用することができるが、そのプラスチックフィルムの外面に対して熱可塑性合成繊維で形成された不織布を積層しておくと、中央パネル６の外面の肌触りを布様のものにすることができる。また、不織布が積層してあるときのプラスチックフィルムは、図２における幅方向Ｘと前後方向Ｙとの寸法を芯材３３の寸法よりも僅かに大きい程度にしておいて、積層してある不織布を幅方向延出部４１における内面シート３１として使用することができる。図２の芯材３３および図８のパッド７５における芯材７６は、粉砕パルプや粉砕パルプと高吸水性ポリマー粒子との混合物等の吸水性材料の集合体をティッシュペーパや透液性の不織布等で形成されたラッピングシートで被覆することにより得ることができる。
【符号の説明】
【００３４】
１    使い捨てのパンツ型着用物品（おむつ）
６    中央パネル
７    前パネル
８    後パネル
３４    側縁部
３５    中央域
３６    端部
３７    端部
６１    第１ホットメルト接着剤
６２    第２ホットメルト接着剤
７１    低密度塗布域
７２    高密度塗布域
Ｘ    幅方向
Ｙ    前後方向
Ｚ    上下方向
【図１】
0005766421.tif 000002
【図２】
0005766421.tif 000003
【図３】
0005766421.tif 000004
【図４】
0005766421.tif 000005
【図５】
0005766421.tif 000006
【図６】
0005766421.tif 000007
【図７】
0005766421.tif 000008
【図８】
0005766421.tif 000009